(57)【要約】【課題】樹脂製ダンボールを用いて製造される梱包体において、面部の寸法精度を向上する。【解決手段】４つの第１側面部１１２の各々は、第１接続部１１４において第１底面部１１１と互いに接続している。少なくとも１つの上面部１１３は、第２接続部１１５において４つの第１側面部１１２のうち少なくとも１つの第１側面部１１２と互いに接続している。第１リブ１３の延在方向と、第１接続部１１４および第２接続部１１５の各々の延在方向とは、互いに交差している。第１底面部１１１の各辺において、第１接続部１１４の少なくとも一部は、第２面部１２が切断されている。上記少なくとも１つの第１側面部１１２の各々において、第２接続部１１５の少なくとも一部は、第２面部１２が切断されている。【選択図】図１
2020172276.tif 000002
【特許請求の範囲】
【請求項１】
１枚の樹脂製ダンボールを含む第１収容体を備える、梱包体であって、
前記１枚の樹脂製ダンボールは、
第１面部と、
前記第１面部と互いに平行な第２面部と、
前記第１面部と前記第２面部とを互いに接続し、前記第１面部の面内方向において互いに平行に延在する複数の第１リブとを有し、
前記第１面部の表面は、前記第１収容体の内面を構成しており、
前記第１収容体は、
内面側から見たときに矩形状の外形を有する第１底面部と、
内面側から見たときの前記第１底面部の各辺を第１接続部として、該第１接続部において前記第１底面部と互いに接続する４つの第１側面部と、
前記４つの第１側面部の各々の、第１底面部側とは反対側の端部を第２接続部として、該第２接続部において前記４つの第１側面部のうち少なくとも１つの第１側面部と互いに接続する少なくとも１つの上面部とを有し、
前記第１リブの延在方向と、前記第１接続部および前記第２接続部の各々の延在方向とが、互いに交差しており、
前記第１底面部の各辺において、前記第１接続部の少なくとも一部は、前記第２面部が切断されており、
前記少なくとも１つの第１側面部において、前記第２接続部の少なくとも一部は、前記第２面部が切断されている、梱包体。
【請求項２】
前記第１リブの延在方向と、前記第１接続部および前記第２接続部の各々の延在方向とが、互いに４５度で交差している、請求項１に記載の梱包体。
【請求項３】
前記第１収容体は、前記少なくとも１つの上面部として４つの上面部を有しており、
前記４つの上面部の各々は、前記第２接続部において前記４つの第１側面部とそれぞれ互いに接続しており、
前記４つの上面部の各々は、内面側から見たときに、１辺が前記第２接続部で構成される略三角形状の外形を有しており、
前記１枚の樹脂製ダンボールは平板状に展開可能であって、前記１枚の樹脂製ダンボールを展開した状態において、前記４つの上面部のうち互いに隣接する上面部の端縁が、同一直線上に位置している、請求項１または請求項２に記載の梱包体。
【請求項４】
前記第１収容体に出し入れ可能に収容され、１枚の他の樹脂製ダンボールを含む第２収容体をさらに備え、
前記１枚の他の樹脂製ダンボールは、
第３面部と、
前記第３面部と互いに平行な第４面部と、
前記第３面部と前記第４面部とを互いに接続し、前記第３面部の面内方向において互いに平行に延在する複数の第２リブとを有し、
前記第３面部の表面は、前記第２収容体の内面を構成しており、
前記第２収容体は、
内面側から見たときに矩形状の外形を有する第２底面部と、
内面側から見たときの前記第２底面部の各辺を第３接続部として、該第３接続部において前記第２底面部と互いに接続する４つの第２側面部とを有し、
前記第２リブの延在方向と、前記第３接続部の延在方向とが互いに交差しており、
各辺の前記第３接続部の少なくとも一部は、前記第４面部が切断されており、
前記第２底面部および前記４つの第２側面部は、前記第１底面部および前記４つの第１側面部のそれぞれに接触している、請求項１から請求項３のいずれか１項に記載の梱包体。
【発明の詳細な説明】
【技術分野】
【０００１】
本発明は、梱包体に関する。
【背景技術】
【０００２】
樹脂製ダンボールの構成を開示した先行技術文献として、特開２００７−１０６０６５号公報がある。特許文献１には、ハニカム状の中芯(リブ)構造を備える合成樹脂製ダンボールからなる単板材が記載されている。
【先行技術文献】
【特許文献】
【０００３】
【特許文献１】特開２００７−１０６０６５号公報
【発明の概要】
【発明が解決しようとする課題】
【０００４】
樹脂製ダンボールを梱包体の面材として用いる場合、樹脂製ダンボールの表面および裏面の各々を構成する複数の面部のうち一方を切断し、かつ、複数の面部のうち他方において、上記切断した部分と対応する部分が折り曲げられることで、各面部が形成される。
【０００５】
しかしながら、上記複数の面部の間に位置する複数のリブの延在方向に沿って複数の面部のうち一方を切断した場合、切断部分と対応する他方の面部は、複数のリブとの接続部同士の間において様々な位置で折り曲げ可能となる。これにより、梱包体の面部の寸法精度が低下する。
【０００６】
本発明は上記問題点に鑑みてなされたものであり、樹脂製ダンボールを用いて製造される梱包体において、面部の寸法精度を向上できる梱包体を提供することを目的とする。
【課題を解決するための手段】
【０００７】
本発明に基づく梱包体は、第１収容体を備えている。第１収容体は、１枚の樹脂製ダンボールを含んでいる。１枚の樹脂製ダンボールは、第１面部と、第２面部と、複数の第１リブとを有している。第２面部は、第１面部と互いに平行である。複数の第１リブの各々は、第１面部と第２面部とを互いに接続し、第１面部の面内方向において互いに平行に延在している。第１面部の表面は、第１収容体の内面を構成している。第１収容体は、第１底面部と、４つの第１側面部と、少なくとも１つの上面部とを有している。第１底面部は、内面側から見たときに矩形状の外形を有している。４つの第１側面部の各々は、内面側から見たときの第１底面部の各辺を第１接続部として、第１接続部において第１底面部と互いに接続している。少なくとも１つの上面部は、４つの第１側面部の各々の、第１底面部側とは反対側の端部を第２接続部として、第２接続部において４つの第１側面部のうち少なくとも１つの第１側面部と互いに接続している。第１リブの延在方向と、第１接続部および第２接続部の各々の延在方向とは、互いに交差している。第１底面部の各辺において、第１接続部の少なくとも一部は、第２面部が切断されている。上記少なくとも１つの第１側面部の各々において、第２接続部の少なくとも一部は、第２面部が切断されている。
【０００８】
本発明の一形態においては、第１リブの延在方向と、第１接続部および第２接続部の各々の延在方向とが、互いに４５度で交差している。
【０００９】
本発明の一形態においては、第１収容体は、上記少なくとも１つの上面部として４つの上面部を有している。４つの上面部の各々は、第２接続部において前記４つの第１側面部とそれぞれ互いに接続している。４つの上面部の各々は、内面側から見たときに、１辺が第２接続部で構成される略三角形状の外形を有している。１枚の樹脂製ダンボールは平板状に展開可能である。１枚の樹脂製ダンボールを展開した状態において、４つの上面部のうち互いに隣接する上面部の端縁は、同一直線上に位置している。
【００１０】
本発明の一形態においては、梱包体は、第２収容体をさらに備えている。第２収容体は、第１収容体に出し入れ可能に収容される。第２収容体は、１枚の他の樹脂製ダンボールを含んでいる。１枚の他の樹脂製ダンボールは、第３面部と、第４面部と、複数の第２リブとを有している。第４面部は、第３面部と互いに平行である。複数の第２リブは、第３面部と第４面部とを互いに接続し、第３面部の面内方向において互いに平行に延在している。第３面部の表面は、第２収容体の内面を構成している。第２収容体は、第２底面部と、４つの第２側面部とを有している。第２底面部は、内面側から見たときに矩形状の外形を有している。４つの第２側面部の各々は、内面側から見たときの第２底面部の各辺を第３接続部として、第３接続部において第２底面部と互いに接続している。第２リブの延在方向と、第３接続部の延在方向とが互いに交差している。各辺の第３接続部の少なくとも一部は、第４面部が切断されている。第２底面部および４つの第２側面部は、第１底面部および４つの第１側面部のそれぞれに接触している。
【発明の効果】
【００１１】
本発明によれば、樹脂製ダンボールを用いて製造される梱包体において、面部の寸法精度を向上させることができる。
【図面の簡単な説明】
【００１２】
【図１】本発明の一実施形態に係る梱包体の構成を示す斜視図である。
【図２】本発明の一実施形態に係る梱包体における、第１収容体および第２収容体の各々の構成を示す斜視図である。
【図３】本発明の一実施形態に係る梱包体の閉状態を示す斜視図である。
【図４】図１に示した梱包体をＩＶ−ＩＶ線矢印方向から見た断面図である。
【図５】図４に示したＶ部を拡大して示す一部拡大図である。
【図６】本発明の一実施形態に係る梱包体における、第１収容体に含まれる樹脂製ダンボールの展開図である。
【図７】本発明の一実施形態に係る梱包体における、第２収容体に含まれる樹脂製ダンボールの展開図である。
【発明を実施するための形態】
【００１３】
以下、本発明の一実施形態に係る梱包体について図面を参照して説明する。以下の一実施形態の説明においては、図中の同一または相当部分には同一符号を付して、その説明を繰り返さない。
【００１４】
図１は、本発明の一実施形態に係る梱包体の構成を示す斜視図である。図２は、本発明の一実施形態に係る梱包体における、第１収容体および第２収容体の各々の構成を示す斜視図である。図３は、本発明の一実施形態に係る梱包体の閉状態を示す斜視図である。図４は、図１に示した梱包体をＩＶ−ＩＶ線矢印方向から見た断面図である。図５は、図４に示したＶ部を拡大して示す一部拡大図である。
【００１５】
図１から図５に示すように、本発明の一実施形態に係る梱包体１００は、第１収容体１１０と、第２収容体１２０とを備えている。第２収容体１２０は、第１収容体１１０に出し入れ可能に収容される。第１収容体１１０は、さらに紙製のダンボールなどの梱包箱に収容可能である。
【００１６】
まず、第１収容体１１０について説明する。図１から図４に示すように、第１収容体１１０は、１枚の樹脂製ダンボール１０を含んでいる。本実施形態においては、第１収容体１１０は、１枚の平板状の樹脂製ダンボール１０を折り曲げた後、折り曲げられた樹脂製ダンボール１０の一部を固定することにより製造される。樹脂製ダンボール１０は、たとえば、ポリプロピレンまたはポリカーボネートなどの樹脂材料で構成されている。
【００１７】
図２、図４および図５に示すように、１枚の樹脂製ダンボール１０は、第１面部１１と、第２面部１２と、複数の第１リブ１３とを有している。図４および図５に示すように、第１面部１１および第２面部１２の各々は、平板状の外形を有しており、折り曲げ可能に構成されている。第２面部１２は、第１面部１１と互いに平行である。
【００１８】
図４および図５に示すように、複数の第１リブ１３の各々は、第１面部１１と第２面部１２とを互いに接続している。複数の第１リブ１３の各々は、平板状の外形を有している。本実施形態においては、複数の第１リブ１３の各々の厚さ方向に直交する方向の両端部において、第１面部１１と第２面部１２とを互いに接続している。図２に示すように、複数の第１リブ１３の各々は、第１面部１１の面内方向において互いに平行に延在している。
【００１９】
なお、複数の第１リブ１３の各々は、後述する第１底面部、第１側面部および上面部の各々において、複数の第１リブ１３の延在方向に対して直交する方向において互いに連続して構成されていてもよい。複数の第１リブ１３の各々が互いに連続して構成される場合において、複数の第１リブ１３は、たとえば、複数の第１リブ１３の延在方向から見たときに、波形状の外形を有していてもよい。
【００２０】
図２、図４および図５に示すように、第１面部１１の表面は、第１収容体１１０の内面を構成している。本実施形態において、第２面部１２は複数の部分に分割されており、第１収容体１１０の外面の一部を構成している。
【００２１】
図２に示すように、第１収容体１１０は、第１底面部１１１と、４つの第１側面部１１２と、少なくとも１つの上面部１１３とを有している。
【００２２】
第１底面部１１１は、内面側から見たときに矩形状の外形を有している。本実施形態において、第１底面部１１１は、内面側から見たときに正方形状の外形を有している。
【００２３】
４つの第１側面部１１２の各々は、内面側から見たときの第１底面部１１１の各辺を第１接続部１１４として、第１接続部１１４において第１底面部１１１と互いに接続している。本実施形態において、４つの第１側面部１１２の各々は、内面側から見たときに、矩形状の外形を有している。すなわち、第１接続部１１４は、４つの第１側面部１１２の各々の一辺である。
【００２４】
図４および図５に示すように、第１底面部１１１の各辺において、第１接続部１１４の少なくとも一部は、第２面部１２が切断されている。すなわち、第１底面部１１１の各辺においては、第１接続部１１４の少なくとも一部は、第１面部１１が折り曲げられることにより構成されている。
【００２５】
また、第１底面部１１１の各辺においては、第２面部１２が切断された第１接続部１１４において、第１リブ１３の少なくとも一部が切断されている。第１接続部１１４において第１リブ１３が切断されていることにより、第１面部１１は容易に折り曲げ可能となり、かつ、第１底面部１１１および第１側面部１１２の各々の寸法精度がさらに向上する。本実施形態においては、第２面部１２が切断された第１接続部１１４において、第１リブ１３の全部が切断されている。
【００２６】
本実施形態においては、図１から図３に示すように、第１底面部１１１の各辺において、第１接続部１１４の全部で、第２面部１２が切断されている。すなわち、第１底面部１１１の各辺においては、第１接続部１１４の全部が、第１面部１１が折り曲げられることにより構成されている。本実施形態においては、第２面部１２が切断された第１接続部１１４の全部において、第１リブ１３の全部が切断されている。
【００２７】
図２に示すように、少なくとも１つの上面部１１３は、４つの第１側面部１１２の各々の、第１底面部１１１側とは反対側の端部を第２接続部１１５として、第２接続部１１５において４つの第１側面部１１２のうち少なくとも１つの第１側面部１１２と互いに接続している。
【００２８】
図１から図３に示すように、本実施形態において、少なくとも１つの上面部１１３は、第１収容体の上部を開閉可能に構成されている。すなわち、図２に示すように、少なくとも１つの上面部１１３が開状態のとき、上記少なくとも１つの上面部１１３は、上記少なくとも１つの上面部１１３の面内方向が第１側面部１１２の面内方向と平行となるまで変位させることができる。
【００２９】
本実施形態においては、前記第１収容体１１０は、少なくとも１つの上面部１１３として４つの上面部１１３を有している。４つの上面部１１３の各々は、第２接続部１１５において４つの第１側面部１１２とそれぞれ互いに接続している。本実施形態においては、第２接続部１１５は、４つの第１側面部１１２の各々の一辺を構成している。第２接続部１１５は、第１接続部１１４の延在方向と平行に延在している。
【００３０】
本実施形態において、上記少なくとも１つの上面部１１３の外形は、特に限定されない。本実施形態において、４つの上面部１１３の各々は、内面側から見たときに、１辺が第２接続部１１５で構成される略三角形状の外形を有している。具体的には、４つの上面部１１３の各々は、第２接続部１１５を構成する辺以外の二辺の長さが互いに同一となる略二等辺三角形状の外形を有しており、具体的には、略直角二等辺三角形状の外形を有している。これにより、図３に示すように、梱包体１００が閉状態のとき、４つの上面部１１３の各々を同一平面上に配置しつつ、第１収容体１１０の蓋部として構成することができる。本実施形態において、梱包体１００が閉状態のとき、４つの上面部１１３はプラスチックテープなどの図示しない固定部材によって互いに固定されている。当該固定部材の種類は特に限定されない。
【００３１】
また、図１から図３に示すように、４つの上面部１１３の各々の頂点部は、面取りされて角丸状に形成されている。これにより、図３に示すように、第１収容体１１０を第１底面部１１１の面内方向に対して直交する方向から見たときに、第１収容体１１０が閉状態のとき、４つの上面部１１３の各々の角丸状の頂点部同士は、互い隙間を空けつつ、中心方向を向いている。
【００３２】
図４および図５に示すように、少なくとも１つの上面部１１３が接続された少なくとも１つの第１側面部１１２の各々において、第２接続部１１５の少なくとも一部は、第２面部１２が切断されている。本実施形態において、少なくとも１つの上面部１１３が接続された第１側面部１１２において、第２接続部１１５は、第１面部１１が折り曲げられることにより構成されている。
【００３３】
また、上記少なくとも１つの上面部１１３においては、第２面部１２が切断された第２接続部１１５において、第１リブ１３の少なくとも一部が切断されている。第２接続部１１５において、第１リブ１３が切断されていることにより、第１面部１１は容易に折り曲げ可能となり、かつ、第１側面部１１２および上面部１１３の各々の寸法精度がさらに向上する。本実施形態においては、第２面部１２が切断された第２接続部１１５において、第１リブ１３の全部が切断されている。
【００３４】
本実施形態においては、４つの上面部１１３が接続された第１側面部１１２の各々において、第２接続部１１５の全部で、第２面部１２が切断されている。すなわち、４つの上面部１１３の各々が接続された４つの第１側面部１１２の各々においては、第２接続部１１５の全部が、第１面部１１が折り曲げられることにより構成されている。本実施形態においては、第２面部１２が切断された第２接続部１１５の全部において、第１リブ１３の全部が切断されている。
【００３５】
図１から図３に示すように、本実施形態において、第１収容体１１０は、複数のフラップ１１６をさらに備えている。複数のフラップ１１６も、１枚の樹脂製ダンボール１０で構成されている。
【００３６】
複数のフラップ１１６の各々は、４つの第１側面部１１２のいずれかの端部に設けられている。複数のフラップ１１６の各々は、第１側面部１１２との接続部を側面接続部１１７として樹脂製ダンボール１０を折り曲げることにより、複数のフラップ１１６が接続している第１側面部１１２と隣り合う第１側面部１１２の外面と互いに面接触するように位置している。
【００３７】
本実施形態においては、複数のフラップ１１６は、４つの第１側面部１１２のうち、互いに対向する２つの第１側面部の１１２の、第１底面部１１１の面内方向における両端に設けられている。
【００３８】
本実施形態において、複数のフラップ１１６の各々、および、複数のフラップ１１６の各々と面接触する第１側面部１１２は、外部からプラスチックテープなどの図示しない固定部材によって互いに固定されている。固定部材の種類は、特に限定されない。
【００３９】
本実施形態においては、側面接続部１１７における第１面部１１および第２面部１２の各々は切断されていない。これにより、複数のフラップ１１６各々の強度を高めることができる。
【００４０】
本実施形態においては、第１収容体１１０は樹脂製ダンボール１０を折り曲げて製造される。すなわち、１枚の樹脂製ダンボール１０は平板状に展開可能である。以下、第１収容体１１０を構成する１枚の樹脂製ダンボール１０を展開した状態の構成について説明する。
【００４１】
図６は、本発明の一実施形態に係る梱包体における、第１収容体に含まれる樹脂製ダンボールの展開図である。すなわち、図６においては、第１面部１１側から見たときの１枚の樹脂製ダンボール１０が示されている。
【００４２】
図６に示すように、第１リブ１３の延在方向と、第１接続部１１４および第２接続部１１５の各々の延在方向とは、互いに交差している。本実施形態においては、第１リブ１３の延在方向と、第１接続部１１４および第２接続部１１５の各々の延在方向とが、互いに４５度で交差している。
【００４３】
また、図６に示すように、１枚の樹脂製ダンボール１０を展開した状態において、４つの上面部１１３のうち互いに隣接する上面部１１３の端縁は、同一直線上に位置している。本実施形態においては、４つの上面部１１３の各々の端縁は、上面部１１３の外形である略三角形状の頂点部を除いて、第１リブ１３の延在方向と互いに平行な方向、または、直交する方向に延在している。
【００４４】
次に、第２収容体１２０について説明する。図２に示すように、第２収容体１２０は、１枚の他の樹脂製ダンボール２０を含んでいる。本実施形態においては、第２収容体１２０は、１枚の他の樹脂製ダンボール２０を折り曲げることにより製造される。
【００４５】
図２、図４および図５に示すように、１枚の他の樹脂製ダンボール２０は、第３面部２１と、第４面部２２と、複数の第２リブ２３とを有している。図４および図５に示すように、第３面部２１と第４面部２２の各々は、平板状の外形を有しており、折り曲げ可能に構成されている。第４面部２２は、第３面部２１と互いに平行である。
【００４６】
図４および図５に示すように、複数の第２リブ２３の各々は、第３面部２１と第４面部２２とを互いに接続している。複数の第２リブ２３の各々の厚さ方向に直交する方向の両端部において、第３面部２１と第４面部２２とを互いに接続している。図２に示すように、複数の第２リブ２３の各々は、第３面部２１の面内方向において互いに平行に延在している。
【００４７】
なお、複数の第２リブ２３の各々は、後述する第２底面部および第２側面部の各々において、複数の第２リブ２３の延在方向に対して直交する方向において互いに連続して構成されていてもよい。複数の第２リブ２３の各々が互いに連続して構成される場合において、複数の第２リブ２３は、たとえば、複数の第２リブ２３の延在方向から見たときに、波形状の外形を有していてもよい。
【００４８】
図２、図４および図５に示すように、第３面部２１の表面は、第２収容体１２０の内面を構成している。本実施形態において、第４面部２２は複数の部分に分割されており、第２収容体１２０の外面の一部を構成している。
【００４９】
図２に示すように、第２収容体１２０は、第２底面部１２１と、４つの第２側面部１２２とを有している。
【００５０】
第２底面部１２１は、内面側から見たときに矩形状の外形を有している。本実施形態において、第２底面部１２１は、内面側から見たときに正方形状の外形を有している。
【００５１】
４つの第２側面部１２２の各々は、内面側から見たときの第２底面部１２１の各辺を第３接続部１２３として、第３接続部１２３において第２底面部１２１と互いに接続している。本実施形態において、４つの第２側面部１２２の各々は、内面側から見たときに、略矩形状の外形を有している。すなわち、第３接続部１２３は、４つの第２側面部１２２の各々の一辺である。
【００５２】
図４に示すように、本実施形態において、第２収容体１２０が第１収容体１１０に収容される状態において、第２底面部１２１および４つの第２側面部１２２は、第１底面部１１１および４つの第１側面部１１２のそれぞれに接触している。
【００５３】
図４および図５に示すように、第２側面部１２２の各辺の第３接続部１２３の少なくとも一部は、第４面部２２が切断されている。すなわち、第２底面部１２１の各辺においては、第３接続部１２３の少なくとも一部は、第３面部２１が折り曲げられることにより構成されている。
【００５４】
また、第２底面部１２１の各辺においては、第４面部２２が切断された第３接続部１２３において、第２リブ２３の少なくとも一部が切断されている。第３接続部１２３において第２リブ２３が切断されていることにより、第３面部２１は容易に折り曲げ可能となり、かつ、第２底面部１２１および第２側面部１２２の各々の寸法精度がさらに向上する。本実施形態においては、第４面部２２が切断された第３接続部１２３の全部において、第２リブ２３の全部が切断されている。
【００５５】
本実施形態においては、図１から図３に示すように、第２底面部１２１の各辺において、第３接続部１２３の全部で、第４面部２２が切断されている。すなわち、第２底面部１２１の各辺においては、第３接続部１２３の全部が、第３面部２１が折り曲げられることにより構成されている。本実施形態においては、第４面部２２が切断された第３接続部１２３の全部において、第２リブ２３の全部が切断されている。
【００５６】
また、図２に示すように、４つの第２側面部１２２の上側の、第３接続部１２３の延在方向における両端部は、面取りされることにより、角丸状に構成されている。
【００５７】
図２に示すように、４つの第２側面部１２２の各々の第３接続部１２３の両端は、第２底面部１２１の各辺の両端より内側に位置している。すなわち、４つの第２側面部１２２の各々は、第３接続部１２３の延在方向における両端において、隣り合う第２側面部１２２と互いに離間して位置している。４つの第２側面部１２２の各々は、隣り合う第２側面部１２２と互いに離間していることにより、第２底面部１２１の複数の角部の各々の上方には、複数の隙間１２４が形成されている。
【００５８】
このように、４つの第２側面部１２２は、第２底面部１２１を内面側から見たときの第２底面部１２１の複数の角部の上方において、互いに離間して位置している。これにより、第２収容体１２０の内側に変形しやすい物品を収容した場合であっても、当該物品には、第２収容体１２０の４つの第２側面部１２２によって構成される角部から応力が加わらなくなるため、上記物品の変形を抑制することができる。
【００５９】
本実施形態においては、第２収容体１２０は１枚の他の樹脂製ダンボール２０を折り曲げて製造される。すなわち、１枚の他の樹脂製ダンボール２０は平板状に展開可能である。図７は、本発明の一実施形態に係る梱包体における、第２収容体に含まれる樹脂製ダンボールの展開図である。図７においては、第３面部２１側から見たときの１枚の他の樹脂製ダンボール２０が示されている。
【００６０】
図７に示すように、第２リブ２３の延在方向と、第３接続部１２３の延在方向とは互いに交差している。本実施形態においては、第２リブ２３の延在方向と、第３接続部１２３の延在方向とが、互いに４５度で交差している。
【００６１】
上記のように、本発明の一実施形態に係る梱包体１００においては、第１リブ１３の延在方向と、第１接続部１１４および第２接続部１１５の各々の延在方向とは、互いに交差している。第１底面部１１１の各辺において、第１接続部１１４の少なくとも一部は、第２面部１２が切断されている。上記少なくとも１つの第１側面部１１２の各々において、第２接続部１１５の少なくとも一部は、第２面部１２が切断されている。
【００６２】
これにより、樹脂製ダンボール１０を用いて製造される第１収容体１１０において、第１底面部１１１、第１側面部１１２および少なくとも１つの上面部１１３の各々の寸法精度を向上させることができる。
【００６３】
本実施形態においては、第１リブ１３の延在方向と、第１接続部１１４および第２接続部１１５の各々の延在方向とが、互いに４５度で交差している。
【００６４】
これにより、第１接続部１１４および第２接続部１１５の各々を全て同様の条件で構成させることができるため、第１底面部１１１、第１側面部１１２および少なくとも１つの上面部１１３の寸歩精度をさらに向上させることができる。
【００６５】
本実施形態においては、第１収容体１１０は、上記少なくとも１つの上面部１１３として４つの上面部１１３を有している。４つの上面部１１３の各々は、第２接続部１１５において前記４つの第１側面部１１２とそれぞれ互いに接続している。４つの上面部１１３の各々は、内面側から見たときに、１辺が第２接続部１１５で構成される略三角形状の外形を有している。１枚の樹脂製ダンボール１０は平板状に展開可能である。１枚の樹脂製ダンボール１０を展開した状態において、４つの上面部１１３のうち互いに隣接する上面部１１３の端縁は、同一直線上に位置している。
【００６６】
これにより、図６に示すように、第１収容体１１０の展開時の外形が略矩形状または略平行四辺形状となるため、第１収容体１１０に含まれる１枚の樹脂製ダンボール１０を複数枚製造する際においては、１枚の大きな樹脂製ダンボールから効率よく上記１枚の樹脂製ダンボールを複数枚切り出すことができる。
【００６７】
本実施形態においては、梱包体１００は、第２収容体１２０をさらに備えている。４つの第２側面部１２２の各々は、内面側から見たときの第２底面部１２１の各辺を第３接続部１２３として、第３接続部１２３において第２底面部１２１と互いに接続している。第２リブ２３の延在方向と、第３接続部１２３の延在方向とが互いに交差している。各辺の第３接続部１２３の少なくとも一部は、第４面部２２が切断されている。第２底面部１２１および４つの第２側面部１２２は、第１底面部１１１および４つの第１側面部１１２のそれぞれに接触している。
【００６８】
これにより、他の樹脂製ダンボール２０を用いて製造される第２収容体１２０において、第２底面部１２１および４つの第２側面部１２２の各々の寸法精度を向上させることができる。ひいては、第１収容体１１０に対して、第２収容体１２０の出し入れを滑らかに行うことを可能にしつつ、第２収容体１２０を第１収容体１１０に収容した際においては、第２収容体１２０を第２側面部１２２の外面側から固定することができる。
【００６９】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１０  樹脂製ダンボール、１１  第１面部、１２  第２面部、１３  第１リブ、２０  他の樹脂製ダンボール、２１  第３面部、２２  第４面部、２３  第２リブ、１００  梱包体、１１０  第１収容体、１１１  第１底面部、１１２  第１側面部、１１３  上面部、１１４  第１接続部、１１５  第２接続部、１１６  フラップ、１１７  側面接続部、１２０  第２収容体、１２１  第２底面部、１２２  第２側面部、１２３  第３接続部、１２４  隙間。
【図１】
2020172276.tif 000003
【図２】
2020172276.tif 000004
【図３】
2020172276.tif 000005
【図４】
2020172276.tif 000006
【図５】
2020172276.tif 000007
【図６】
2020172276.tif 000008
【図７】
2020172276.tif 000009